(57)【要約】【課題】  各社の端末で作成された映像や音声をそれぞれ他社端末で再生する場合に、各社の端末にてそれぞれ少なくとも最適な値で映像，音声の再生ができるようにする。【解決手段】  携帯電話端末５，６は、映像，音声データ再生、送受信、映像，音声再生時の画質，音質の調整機能を有する。携帯電話システム（携帯電話網３，基地局４）は、送信元端末５から受信先端末６を特定したデータ送信時、そのデータと共に両端末の機種情報（Ａ，Ｂ）をＡＶデータサーバ１へ送る。そのサーバ１はデータを一時格納し、両機種情報を調整情報管理サーバ２へ送る。このサーバ２は、両機種情報に基づき、送信元端末５からのデータを受信先端末６で再生する際の画質，音質を最適にする調整情報をサーバ１へ送る。サーバ１は、その調整情報をデータに付加して受信先端末６へ送る。そして端末６は、その調整情報を用いてデータ再生時の画質，音質を調整する。【選択図】  図１
2006050462.tif 000002
【特許請求の範囲】
【請求項１】
データファイルを再生する再生手段と、少なくともデータファイルを送受信する送受信手段と、データファイルを上記再生手段にて再生する際の再生状態を所定の調整情報に基づいて調整する調整手段とを有する通信端末と、
送信元の通信端末から受信先の通信端末を特定してデータファイルが送信された時、上記送信元の通信端末及び受信先の通信端末の両機種情報に基づいて、上記送信元の通信端末から送信されたデータファイルを上記受信先の通信端末の再生手段にて再生する際の再生状態を調整するための調整情報を求め、当該調整情報を上記データファイルに付加して上記受信先の通信端末へ転送するデータファイル転送装置とを有する
ことを特徴とする通信システム。
【請求項２】
請求項１記載の通信システムであって、
上記データファイル転送装置は、上記送信元の通信端末から受信先の通信端末を特定して送信されてきたデータファイルを一時的に格納する格納手段と、上記送信元の通信端末及び受信先の通信端末の両機種情報と調整情報との対応を記した対応表を保持するデータベース手段と、当該データベース手段が保持している対応表から上記送信元の通信端末及び受信先の通信端末の両機種情報に応じて上記調整情報を検索するデータベース検索手段と、上記データベース検索手段が検索した調整情報を上記データファイルに付加する情報付加手段とを有し、上記情報付加手段にて調整情報が付加されたデータファイルを上記受信先の通信端末へ転送することを特徴とする通信システム。
【請求項３】
請求項２記載の通信システムであって、
上記データファイル転送装置のデータベース手段が保持している対応表の調整情報は、上記送信元の通信端末から送信されたデータファイルを上記受信先の通信端末の再生手段にて再生する際の再生状態を最適値に調整するための調整情報であることを特徴とする通信システム。
【請求項４】
請求項２記載の通信システムであって、
上記送信元の通信端末は、上記送受信手段から上記受信先の通信端末を特定してデータファイルを送信する際に、上記調整手段の調整情報を上記データファイルに付加して送信し、
上記データファイル転送装置は、上記データベース手段が保持している対応表から上記データベース検索手段が検索した調整情報を、上記送信元の通信端末から送信されてきた調整情報を用いて補正する補正手段を有することを特徴とする通信システム。
【請求項５】
請求項１記載の通信システムであって、
送信元の通信端末から受信先の通信端末を特定してデータファイルが送信された時、上記データファイルと共に上記送信元の通信端末及び受信先の通信端末の両機種情報を上記データファイル転送装置へ送信する通信網を有する
ことを特徴とする通信システム。
【請求項６】
請求項１記載の通信システムであって、
上記通信端末は、一以上のデータファイルと各データファイルを上記再生手段にて再生する際の再生状態を調整するための調整情報との対応を記した管理テーブルを保持するテーブル保持手段と、データファイルを上記再生手段にて再生する際に、上記テーブル保持手段に保持されている管理テーブルを参照し、上記データファイルに対応した調整情報を検索する検索手段とを有することを特徴とする通信システム。
【請求項７】
請求項６記載の通信システムであって、
上記通信端末は、上記データファイル転送装置から送信されてきた上記データファイルとそれに付加された調整情報により、上記管理テーブルを更新する更新手段を有することを特徴とする通信システム。
【請求項８】
請求項６記載の通信システムであって、
上記通信端末は、使用者からの指示が入力される指示入力手段を有し、上記データファイルを上記再生手段にて再生する際の再生状態が、上記指示入力手段を介した使用者からの指示に応じて変更された時、その変更後の再生状態に応じた調整情報により上記管理テーブルを更新するテーブル更新手段を有することを特徴とする通信システム。
【請求項９】
請求項６記載の通信システムであって、
上記通信端末は、新規なデータファイルを上記再生手段にて再生する際の再生状態と、その再生状態に応じた調整情報とを対応付けて、上記管理テーブルに登録するテーブル登録手段を有することを特徴とする通信システム。
【請求項１０】
データファイルを再生する再生手段と、
少なくともデータファイルを送受信する送受信手段と、
一以上のデータファイルと、各データファイルを上記再生手段にて再生する際の再生状態を調整するための調整情報との対応を記した管理テーブルを保持するテーブル保持手段と、
データファイルを上記再生手段にて再生する際に、上記テーブル保持手段に保持されている管理テーブルを参照し、上記データファイルに対応した調整情報を検索する検索手段と、
データファイルを上記再生手段にて再生する際に、上記検索手段により検索された調整情報に基づいて上記再生手段での再生状態を調整する調整手段とを有する
ことを特徴とする通信端末。
【請求項１１】
請求項１０記載の通信端末であって、
使用者からの指示が入力される指示入力手段を有し、
上記データファイルを上記再生手段にて再生する際の再生状態が、上記指示入力手段を介した使用者からの指示に応じて変更された時、その変更後の再生状態に応じた調整情報により上記管理テーブルを更新するテーブル更新手段を有することを特徴とする通信端末。
【請求項１２】
請求項１０記載の通信端末であって、
新規なデータファイルを上記再生手段にて再生する際の再生状態と、その再生状態に応じた調整情報とを対応付けて、上記管理テーブルに登録するテーブル登録手段を有することを特徴とする通信端末。
【請求項１３】
請求項１０記載の通信端末であって、
上記通信端末は、上記送受信手段を介して送信されてきたデータファイルと当該データファイルに付加されて送信されてきた調整情報とにより、上記管理テーブルを更新する更新手段を有することを特徴とする通信端末。
【発明の詳細な説明】
【技術分野】
【０００１】
本発明は、少なくとも映像や音声データの再生機能とそれら映像，音声データを送受信する機能とを有する通信端末、及び、その通信端末を含む通信システムに関する。
【背景技術】
【０００２】
従来より、携帯電話端末は、持ち運びが可能であり、基地局からの電波が届く範囲であれば、好きなときに好きな場所で通話や電信メールの送受信等を行うことができるようになされている。
【０００３】
また、近年の携帯電話端末は、通話や電子メールの送受信機能の他にも、内蔵カメラによる静止画像，動画像の撮影機能やそれら映像のビューワ機能、音楽再生機能といった各種機能を備えたものが主流になってきており、非常に多くの台数が販売されている。さらに、これら各種機能を有する携帯電話端末においては、例えば、ディスプレイ上に静止画像や動画像を表示する際の明るさや色味等を好みの値に調整するための機能や、音楽再生を行う際の音量等を好みの値に調整するための機能等を備えていることも多い。
【０００４】
なお、特開２００２−２７８５２２の公開特許公報（特許文献１）には、画像のエッジ強調、色ゲイン、コントラストなどの画質調整パラメータを記憶し、画像を表示する際には、その画質調整パラメータに応じて映像表示手段上に表示される映像を画質を調整するようになされた携帯用映像表示装置が開示されている。
【０００５】
【特許文献１】特開２００２−２７８５２２公報（第１図）
【発明の開示】
【発明が解決しようとする課題】
【０００６】
ところで、映像の撮影機能とビューワ機能を備えた携帯電話端末は、一般に、自端末の内蔵カメラにより撮影した映像だけでなく、例えばデータ通信により外部から取得した映像を表示する機能をも備えている。
【０００７】
このように、データ通信により外部から取得した映像を表示する機能を携帯電話端末が備えている場合において、例えばＡ社の携帯電話端末で撮影等された映像を、別のＢ社の携帯電話端末やＣ社の携帯電話端末にて再生表示するような場合、各端末にて表示される映像は同じものであるにもかかわらず、それら各端末のディスプレイ上に表示される映像の明るさや色味（つまり画質）はそれぞれ異なったものになることが多い。
【０００８】
すなわち、Ａ社の携帯電話端末における映像表示のための調整値は、当該Ａ社の携帯電話端末のディスプレイに映像を表示するための最適な値になされており、同様に、Ｂ社やＣ社の携帯電話端末における映像表示のための調整値もそれぞれＢ社やＣ社の携帯電話端末のディスプレイに映像を表示するための最適な値になされているため、Ａ社の携帯電話端末にて表示された映像とＢ社やＣ社の携帯電話端末にて表示された映像とが同じような画質（明るさや色味）になることは殆ど無い。
【０００９】
したがって、Ｂ社やＣ社の携帯電話端末において、Ａ社の携帯電話端末と同じような画質で映像を表示させるためには、それらＢ社やＣ社の携帯電話端末のユーザがそれぞれ表示映像の画質を再調整しなければならなくなる。
【００１０】
なお、このようなデータ再生時の調整問題は、映像を表示する場合だけでなく、例えば音声を再生する場合にも同様に発生する。
【００１１】
本発明は、このような課題に鑑みてなされたものであり、各社の端末で作成された映像や音声をそれぞれ他社の端末で再生するような場合において、各社の端末にてそれぞれ少なくとも最適な画質，音質で映像，音声を再生可能とする通信システム及び通信端末を提供することを目的とする。
【課題を解決するための手段】
【００１２】
本発明の通信システムは、データファイルを再生する再生手段とデータファイルを送受信する送受信手段とデータファイルの再生状態を調整情報に基づいて調整する調整手段とを少なくとも有する通信端末と、送信元通信端末から受信先通信端末を特定してデータファイルが送信された時、それら両通信端末の機種情報に基づいて、送信元通信端末から送信されたデータファイルを受信先通信端末で再生する際の再生状態を調整するための調整情報を求め、その調整情報をデータファイルに付加して受信先通信端末へ転送するデータファイル転送装置とを有することにより、上述した課題を解決する。
【００１３】
また、本発明の通信端末は、データファイルを再生する再生手段と、データファイルを送受信する送受信手段と、一以上のデータファイルと各データファイルを再生する際の再生状態を調整するための調整情報との対応を記した管理テーブルを保持するテーブル保持手段と、データファイルを再生する際に管理テーブルを参照してそのデータファイルに対応した調整情報を検索する検索手段と、その検索手段により検索された調整情報に基づいて再生手段での再生状態を調整する調整手段とを有することにより、上述した課題を解決する。
【００１４】
すなわち、本発明によれば、送信元通信端末から受信先通信端末を特定してデータファイルが送信された時、それら両通信端末の機種情報に基づいて、受信先通信端末でデータファイルを再生する際の再生状態を調整するための調整情報が求められ、その調整情報がデータファイルに付加されて受信先通信端末へ転送されるため、受信先通信端末では、その調整情報を用いてデータファイルの再生状態を調整することができる。
【発明の効果】
【００１５】
本発明においては、送信元通信端末から受信先通信端末を特定してデータファイルが送信された時、受信先通信端末でデータファイルを再生する際の再生状態を調整するための調整情報がデータファイルに付加されて当該受信先通信端末へ転送されるようになされているため、例えば、各社の端末で作成された映像や音声のデータファイルをそれぞれ他社の端末で再生するような場合において、各社の端末にてそれぞれ最適な画質，音質で映像，音声を再生することが可能となる。
【発明を実施するための最良の形態】
【００１６】
以下、図面を参照しながら、本発明の通信端末及びその通信システムの一実施形態について説明する。なお、本実施形態では、本発明の通信端末及びそのシステムの一例として、携帯電話端末とその通信システムを挙げているが、勿論、ここで説明する内容はあくまで一例であり、本発明はこの例に限定されないことは言うまでもない。
【００１７】
〔第１の実施形態〕
図１には、本発明の第１の実施形態の通信システムの概略構成を示す。
【００１８】
本実施形態の通信システムは、複数の携帯電話端末、携帯電話網３及びその基地局４、ＡＶデータサーバ１、調整情報管理サーバ２を少なくとも有して構成されている。
【００１９】
携帯電話網３及び基地局４は、いわゆる無線アクセスネットワーク（ＲＡＮ），コアネットワーク（ＣＮ）等からなる携帯電話システムに含まれ、基地局４を介して接続する携帯電話端末の電話番号，機種，加入者（ユーザ）等をそれぞれ特定可能となされている。
【００２０】
携帯電話端末は、当該携帯電話システムの各加入者の携帯電話端末である。当該携帯電話端末は、通話や電子メールの送受信機能の他にも、例えば内蔵カメラによる静止画像，動画像の撮影機能やそれら映像のビューワ機能、マイクロホン等により集音した音声の記録や音楽の再生機能といった各種機能を備えている。また、本実施形態の携帯電話端末は、例えば、ディスプレイ上に静止画像や動画像を表示する際の明るさや色味等（つまり画質）を好みの値に調整するための機能や、スピーカから再生する音声の音量やイコライジング等（つまり音質）を好みの値に調整するための機能をも備えている。これら画質や音質を決定するための調整値は、ユーザにより設定された調整値だけでなく、データ通信等により取得した調整値であっても良い。特に本実施形態の携帯電話端末は、データ通信等により調整値を取得した場合、その調整値により画質や音質を自動的に調整する機能を備えている。
【００２１】
また、これら携帯電話端末には、同機種の携帯電話端末だけでなく、それぞれ別の端末メーカにより製造された複数機種の携帯電話端末や、それぞれ別の部品メーカにより製造された異なる部品を使用した複数機種の携帯電話端末がある。なお、図１の例では機種Ａと機種Ｂの二機種の携帯電話端末５，６のみを示している。そして、これら携帯電話端末５，６は、携帯電話網３及び基地局４を介して、相互に通話やデータ通信が可能となされている。
【００２２】
ＡＶデータサーバ１は、携帯電話システムを介して携帯電話端末と接続する機能と、送信元携帯電話端末から受信先携帯電話端末を特定して送信された映像，音声データファイルとそれら端末の機種情報を本実施形態の携帯電話システムから受信し、それらを一時的に格納する機能とを有している。また、本実施形態のＡＶデータサーバ１は、送信元携帯電話端末の機種情報と受信先携帯電話端末の機種情報を調整情報管理サーバ２へ送り、後述するように、それらの機種情報に応じて当該調整情報管理サーバ２から返信されてきた調整情報を受信し、その受信した調整情報を上記送信元携帯電話端末の映像，音声データファイルに付加して受信先携帯電話端末へ送信する機能も備えている。なお、図１の例では、機種Ａの携帯電話端末５が送信元携帯電話端末となり、機種Ｂの携帯電話端末６が受信先携帯電話端末となっている例を挙げている。また、ＡＶデータサーバ１は、機種情報については必ずしも格納しなくても良い。
【００２３】
調整情報管理サーバ２は、図２に示すように、例えば、或る機種の携帯電話端末にて生成された映像や音声データを別の機種の携帯電話端末にて再生する際に、当該別の機種の携帯電話端末にて最適（最良）な再生結果を得るための調整情報の対応データベース（以下、調整情報データベースと呼ぶ）を保持している。すなわちこの図２において、例えば機種Ａの携帯電話端末にて生成された映像や音声データを、例えば機種Ｂの携帯電話端末にて再生する際の最適な調整情報は、調整情報Ｖ１となっており、例えば機種Ｂの携帯電話端末にて生成された映像や音声データを例えば機種Ａの携帯電話端末にて再生する際の最適な調整情報は、調整情報Ｖ４となされている。そして、当該調整情報管理サーバ２は、ＡＶデータサーバ１から送信されてくる機種情報に基づいて、図２の調整情報データベースを参照し、その参照の結果得られた調整情報を、ＡＶデータサーバ１へ返送する機能を備えている。
【００２４】
なお、ＡＶデータサーバ１と調整情報管理サーバ２は、一つのサーバにより構成されていても良い。
【００２５】
〔第１の実施形態のシステムの動作〕
以下、機種Ａの送信元携帯電話端末５で作成した例えば映像データファイルを、機種Ｂの受信先携帯電話端末６へ送信する際における図１のシステムの動作を説明する。
【００２６】
図１において、先ず、送信元携帯電話端末５からは、例えば内蔵カメラ等により撮影した映像データファイルが、受信先携帯電話端末６を特定した状態で送信される。
【００２７】
上記送信元携帯電話端末５から送信された映像データファイルは、携帯電話網３及び基地局４からなる携帯電話システムを介してＡＶデータサーバ１へ送られる。またこの時、ＡＶデータサーバ１へは、送信元携帯電話端末５の機種Ａ及び受信先携帯電話端末６の機種Ｂの各機種情報も携帯電話システムから送られる。
【００２８】
ＡＶデータサーバ１は、受信先携帯電話端末６を特定した状態で送信元携帯電話端末５から送信されてきた映像データファイルと機種情報を受信すると、それらを一時的に格納し、機種情報（機種Ａ，Ｂ）を調整情報管理サーバ２へ送る。
【００２９】
調整情報管理サーバ２は、ＡＶデータサーバ１から受信した機種情報に基づいて図２の調整情報データベースを検索する。本実施形態の場合、調整情報管理サーバ２は、送信元携帯電話端末５である機種Ａ（送信機種）と、受信先携帯電話端末６である機種Ｂ（受信機種）とに基づき、機種Ａの携帯電話端末５にて生成された映像データを機種Ｂの携帯電話端末６にて再生する際に、当該機種Ｂの携帯電話端末６にて最適な画質を得ることができる調整情報Ｖ１を、図２の調整情報データベースから得る。そして、調整情報管理サーバ２は、当該調整情報データベースから読み題した調整情報（Ｖ１）を、ＡＶデータサーバ１へ返送する。
【００３０】
上記調整情報管理サーバ２から調整情報を受け取ると、ＡＶデータサーバ１は、先に一時的に格納している映像データファイルに当該調整情報を付加し、受信先携帯電話端末６へ送信する。
【００３１】
上記映像データファイルと調整情報を受け取った受信先携帯電話端末６は、映像データファイルによる映像をディスプレイ上に表示する際に、当該映像データファイルと共に受け取った調整情報に基づいて、ディスプレイ表示上の明るさや色味等を自動調整する。
【００３２】
これにより、本発明の第１の実施形態によれば、機種Ａの送信元携帯電話端末５にて生成された映像を、機種Ｂの携帯電話端末６のディスプレイ上に最適な画質（最良の画質）で表示することが可能となる。
【００３３】
なお、以上の説明では、映像データファイルを送受信する例を挙げたが、音声データファイルを送受信する場合も同様であり、この場合は、調整情報管理サーバ２から機種Ｂにて音質を最適にするための調整情報が読み出され、ＡＶデータサーバ１はその調整情報を付加した音声データファイルを機種Ｂの受信先携帯電話端末６へ送信する。これにより、機種Ｂの受信先携帯電話端末６では、機種Ａの送信元携帯電話端末５にて生成された音声を、最適な音質で再生することが可能となる。
【００３４】
〔本実施形態の携帯電話端末の内部構成〕
次に、図３には、本発明実施形態の携帯電話端末の概略的な内部構成を示す。
【００３５】
アンテナ２２は、例えば内蔵アンテナであり通話やパケット通信のための信号電波の送受信を行う。通信回路２１は、送受信信号の周波数変換、変調と復調等を行う。なお、パケット通信により送受信されるデータは、映像データファイルや音声データファイル、電子メール、プログラムデータ、その他の各種データである。
【００３６】
受信された通話音声のデータは、データラインを介して制御部２０へ送られる。制御部２０は、ＣＰＵ（中央処理装置）からなり、通話音声データを復号化し、その復号化後の音声データをデータラインを介してスピーカ２６へ送る。
【００３７】
スピーカ２６は、受話用のスピーカやリンガ用のスピーカに相当し、ディジタル／アナログ変換器と増幅器を含み、通話音声やリンガ音のデータをディジタル／アナログ変換及び増幅した後、出力する。これにより、通話音声やリンガ音が得られることになる。また、当該スピーカ２６からは、音声データファイルの再生音声も出力される。
【００３８】
マイクロホン２７は、送話用のマイクロホンやその他の音声を集音するためのマイクロホンに対応し、アナログ／ディジタル変換器と増幅器を含む。このマイクロホン２７を介して入力された通話音声信号やその他の音声信号は、増幅器により所定のレベルに増幅された後、アナログ／ディジタル変換器によりディジタル音声データに変換され、データラインを介して制御部２０へ送られて符号化された後、必要に応じて通信回路２１へ送られる。
【００３９】
表示部２３は、当該携帯電話端末のディスプレイとその表示制御回路とからなる。ディスプレイは、例えば液晶ディスプレイなどである。
【００４０】
操作部２４は、いわゆるテンキーや通話キー、終了キー、ジョグダイヤル、それらの操作に応じた操作信号を発生する操作信号発生部を有している。
【００４１】
メモリ２５は、ＲＯＭ（Read Only Memory）とＲＡＭ（Random Access Memory）を含む。ＲＯＭは、制御部２０が各部を制御するための制御プログラムや各種の初期設定値、フォントデータ、辞書データ、本実施形態における画質や音質の調整を行うためのプログラムコード、電子メールの作成や編集等を行うためのプログラムコード、画像処理や音声処理を行うためのプログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、後述する調整情報管理テーブルや当該調整情報管理テーブルに登録されているファイル名に対応したデータ、ユーザにより設定される調整値、電子メールデータ、電話帳や電子メールアドレス、カメラ３１により撮影された映像データ等、データ通信により受信した映像データや音声データ、文字データや予測変換の候補単語の登録データや学習データ、その他、各種のユーザ設定値等を保存することも可能となされている。ＲＡＭは、制御部２０が各種のデータ処理を行う際の作業領域として、随時データを格納する。
【００４２】
画像処理部２８は、制御部２０により設定される各種画質調整値（例えばホワイトバランス、ブライトネス、コントラスト、ガンマ補正など）やデータ通信により受信した各種画質調整値に基づいて、映像データを補正して表示部２３へ出力する。
【００４３】
音声処理部２９は、制御部２０により設定される各種音質調整値（例えば音量、イコライジングなど）データ通信により受信した各種音質調整値に基づいて、音声データを補正してスピーカ２６へ出力する。
【００４４】
カメラ３１は、内蔵カメラであり、レンズ系及びそのレンズ系のフォーカス合わせを自動的に行うためのオートフォーカス機構と、撮像素子等などを備えている。撮像制御部３０は、カメラ３１の動作を制御すると共に、当該カメラ３１にて撮影された映像データを処理し、画像処理部２８へ送る。
【００４５】
制御部２０は、上述した通話音声データの符号化や復号化の他、制御ラインを介して当該携帯電話端末の各構成要素の制御等、各種の演算処理を行う。また、本実施形態の場合、制御部２０は、画質や音質の調整値の設定や、その調整値のメモリ２５への記憶や当該メモリ２５からの読み出し等の制御を行う。
【００４６】
その他、図３には図示を省略しているが、本実施形態の携帯電話端末は、各部に電力を供給する電源回路や、ブラウザ機能、外部ケーブル用コネクタ、外部リモートコントローラの接続コネクタ、携帯電話端末の現在位置を検出するための測位デバイスであるＧＰＳ（Global Positioning System）通信部とそのアンテナなどを備えている。
【００４７】
〔携帯電話端末の調整情報管理テーブル〕
ところで、本発明実施形態の携帯電話端末は、前述したような画質や音質を調整するための調整情報とその調整情報により調整される映像や音声データファイルとの対応表として、以下に説明するような調整情報管理テーブルをメモリ２５等に保持している。すなわち、本実施形態の携帯電話端末は、映像データファイルとその映像データファイルに対応した画質の調整情報や、音声データファイルとその音声データファイルに対応した音質の調整情報を記録する調整情報管理テーブルを作成及び管理する機能を備えている。なお、本実施形態の場合、調整情報管理テーブルには、実際には映像データファイルや音声データファイルのファイル名と、それらに対応する調整情報ファイルのファイル名とが記録されており、映像，音声データや調整情報自体は例えばメモリ２５上の別領域に保存されている。
【００４８】
また、本実施形態の携帯電話端末は、映像を表示部２３のディスプレイ上に表示したり、音声をスピーカ２６から出力する再生の際に、その再生に先だって、毎回、上記調整情報管理テーブルを参照することで、これから再生する映像データファイルに対応した画質の調整情報や音声データファイルに対応した音質の調整情報を読み出し、それら読み出した調整情報に基づいてディスプレイ表示設定やスピーカ音声出力設定を自動的に行う機能を備えている。すなわち、本実施形態によれば、映像，音声データファイルについて、ユーザが自分の好みに合った最適な調整情報を当該携帯電話端末上で設定し、その調整情報を当該携帯電話端末の上記調整情報管理テーブルに登録させておき、その後の映像，音声データファイルの再生時に、それら映像，音声データファイルに対応した調整情報を読み出して当該映像，音声データに対する調整処理を行うことにより、ユーザの嗜好に合った状態で映像，音声を再生可能としている。
【００４９】
勿論、本実施形態の調整情報管理テーブルには、ユーザが自分の好みに応じて設定した調整情報だけでなく、前述したようにＡＶデータサーバ１を介して調整情報管理サーバ２から送られてきた調整情報も登録される。
【００５０】
図４には、本実施形態の調整情報管理テーブルの一例として、画質を調整するための調整情報管理テーブルを示す。
【００５１】
この図４において、当該調整情報管理テーブルには、映像データファイルとそれに対応した調整値が記録されており、例えば、静止画像ファイルである静止画像ＳＰ１には調整情報ｓｖ１が対応付けられ、静止画像ＳＰ２には調整情報ｓｖ２が、動画像ファイルである動画像ＭＰ１には調整情報ｍｖ１、動画像ＭＰ２には調整情報ｍｖ２のように、それぞれ映像データファイル名（映像ファイル名）と画質の調整情報ファイルとが対応付けられて記録されている。
【００５２】
ここで、画質調整情報ファイルには、例えば図５に示すように、画質調整項目とそれに対応した調整値とが記録されており、例えばＲ（赤），Ｇ（緑），Ｂ（青）の光三原色の色調整の項目にはそれらＲ，Ｇ，Ｂを示す各調整値が、コントラストの調整項目にはそのコントラストの調整値が、ブライトネスの調整項目にはそのブライトネスの調整値が記録される。なお、調整情報管理テーブルにおける画質調整項目や調整値は、図５の例に限定されず、例えば画像エフェクトの調整項目とその調整値などが含まれていても良い。
【００５３】
その他、音質を調整するための調整情報管理テーブルの場合は、例えば音声データファイルとそれに対応した調整値として、音量やイコライジング、音声エフェクトなどを設定するための調整値が記録される。
【００５４】
〔調整情報管理テーブルの管理〕
以下、調整情報管理テーブルへの調整値の新規登録と更新時における本実施形態の携帯電話端末の処理の流れを、図６のフローチャートと図３の構成を用いて説明する。なお、以下の説明では、例えば映像（静止画，動画）再生時におけるディスプレイ表示を調整するための画質調整情報の管理を例に挙げて述べることにする。
【００５５】
ここで、メモリ２５内の調整情報管理テーブルには、カメラ３１にて撮影された映像データや、データ通信により受信した映像データのファイルと、それら各ファイルの映像データに対する画質調整情報ファイルとが登録されているとする。また、携帯電話端末は、メモリ２５内に新しい映像ファイルの画質調整値を保存する毎に、調整情報管理テーブルにそれら映像ファイルと画質調整値の対応情報を追加するものとする。但し、ファイル名には、他のファイルとの識別が可能な名前を利用するものとする。
【００５６】
先ず、画質調整値設定モードになされたとき、制御部２０は、カメラ３１にて撮影された映像データファイルやデータ通信により受信した映像データファイルのリスト（例えば図７に示すようなファイルリスト）を生成し、そのファイルリストを表示部２３上に表示させる。なお、当該ファイルリストは、例えば操作部２４のジョグダイヤルの操作に応じて何れかのファイルが選択可能となされている。
【００５７】
この状態で、制御部２０は、ステップＳ１の処理として、ユーザにより操作部２４の終了キーが押下操作されたか見ており、終了キーが押下操作されたときには、画質調整値設定モードを解除し、表示部２３上の表示をファイルリストから通常の待ち受け画面等に戻す。
【００５８】
一方、ユーザにより終了キーが押下操作されず、操作部２４のジョグダイヤル操作により上記ファイルリストの中から何れかのファイルの選択がなされると、制御部２０は、当該選択されたファイルの映像データをメモリ２５から読み出し、画像処理部２８に送る。この時、画像処理部２８は、メモリ２５にデフォルト値として設定されている画質調整値を用いて上記映像データを処理し、その処理後の映像データを表示部２３に送る。これにより、表示部２３上には、上記デフォルトの画質調整値により処理された映像が表示されることになる。
【００５９】
そしてこの状態で、さらにユーザにより操作部２４を介して画質調整を行う旨の指示が入力されると、制御部２０は、ステップＳ２へ処理を進める。
【００６０】
ステップＳ２の処理に進むと、制御部２０は、表示部２３上に、図８に示すような画質調整項目をユーザに選択させるためのユーザインターフェイスウィンドウ（以下、画質調整項目選択ウィンドウとする）を画面内に表示させる。この図８に示す画質調整項目選択ウィンドウ内には、Ｒ，Ｇ，Ｂの色調整、コントラスト、ブライトネス、ガンマ補正等の各種の調整項目が表示される。これら調整項目は、例えば操作部２４のジョグダイヤルの操作に応じて何れかの項目が選択可能となされている。そして、ユーザによる操作部２４のジョグダイヤル操作により、何れかの調整項目の選択がなされると、制御部２０は、ステップＳ３へ処理を進める。
【００６１】
ステップＳ３の処理に進むと、制御部２０は、ステップＳ２にて選択された調整項目の設定を行うための画面を表示部２３上に表示させる。図９には、ステップＳ２にてコントラストの調整項目が選択されることで、ステップＳ３にて表示部２３上に表示されたコントラスト設定ウィンドウの一例を示している。ここで、当該コントラストの設定の際には、例えば操作部２４のジョグダイヤルの操作に応じてコントラストの調整値が設定可能となされる。また、コントラストの調整値が設定されている時、上記コントラスト設定ウィンドウ外に表示されている映像（つまりファイルリストの中から選択されたファイルの映像）にはその調整後のコントラストが反映される。すなわちこの場合、制御部２０は、操作部２４からの操作信号に応じたコントラストの調整値を計算し、画像処理部２８に対してその調整値による処理を行わせることで、上記コントラストの調整値が反映された映像を表示部２３上に表示させる。これにより、ユーザは、操作部２４の操作を介して好みのコントラストを設定することができることになる。その後、操作部２４を介してコントラストの調整値設定の完了指示がユーザから入力されると、制御部２０は、ステップＳ４へ処理を進める。
【００６２】
ステップＳ４の処理に進むと、制御部２０は、ステップＳ３にて設定された調整値により、調整情報管理テーブルの調整情報の更新を行う。すなわちこの例の場合は、上記ファイルリストから選択されたファイルの映像データに対応した調整情報のうち、コントラストの調整値が更新される。
【００６３】
その後、制御部２０は、ステップＳ５の処理として、図１０に示すように、更新された画質調整項目と各調整値を保存するか否かをユーザに決定させるためのユーザインターフェイスウィンドウを、表示部２３の画面内に表示させる。そして、この時の制御部２０は、このユーザインターフェイスウィンドウ内の保存キーが、ユーザによる操作部２４の操作により指示されたか否かを見ており、保存の指示がなされたときには、ステップＳ６の処理としてメモリ２５の上記調整情報管理テーブルを更新する。
【００６４】
一方、ステップＳ５にて保存キーが押下されていないときには、ステップＳ１移行の処理を繰り返すことができ、これにより、他の各調整値の更新が可能となる。
【００６５】
なお、図７に示すファイルリストから選択された映像データファイルのファイル名が上記調整情報管理テーブルに登録されていない時、若しくは、図７に示すファイルリストにも存在しない映像データファイルの画質調整を行った場合、ステップＳ６では、それら新たな映像データファイルのファイル名とそれに対応した画質調整情報ファイルのファイル名が、当該調整情報管理テーブルに新規に追加登録されることになる。
【００６６】
〔ファイル再生時の自動調整〕
以下、映像や音声データファイルを再生する場合に、調整情報管理テーブルを参照することで画質や音質を自動的に調整する際の本実施形態の携帯電話端末の処理の流れを、図１１のフローチャートと図３の構成を用いて説明する。なお、以下の説明では、例えば映像（静止画，動画）再生時における画質の自動調整を例に挙げて述べることにする。
【００６７】
先ず、映像データファイルの再生モードになされたとき、制御部２０は、カメラ３１にて撮影された映像データファイルやデータ通信により受信した映像データファイルのリスト（例えば図７に示すようなファイルリスト）を生成し、そのファイルリストを表示部２３上に表示させる。
【００６８】
この状態で、制御部２０は、ステップＳ１１の処理として、ユーザによる操作部２４のジョグダイヤルの操作に応じて何れかのファイルが選択されると、ステップＳ１２へ処理を進める。
【００６９】
ステップＳ１２の処理に進むと、制御部２０は、メモリ２５から画質の調整情報管理テーブルを読み出し、ステップＳ１１にてユーザにより選択されたファイルに対応した映像ファイル名が、当該調整情報管理テーブル内に登録されているか検索する。
【００７０】
次に、制御部２０は、ステップＳ１３の処理として、上記選択された映像ファイル名が調整情報管理テーブル内に存在したか否か判定し、存在した場合にはステップＳ１４へ、存在しなかった場合はステップＳ１５へ処理を進める。
【００７１】
ステップＳ１４の処理に進むと、制御部２０は、調整情報管理テーブルから当該映像ファイル名に対応した画質調整情報ファイル名を求め、その画質調整情報ファイル名に対応した調整情報をメモリ２５から読み出す。そして、その調整情報により画像処理部２８の設定を更新する。制御部２０は、このステップＳ１４の処理後、ステップＳ１５へ処理を進める。
【００７２】
ステップＳ１５の処理に進むと、制御部２０は、映像ファイルから映像データを抽出すると共に、画像処理部２８にて当該映像データに画質調整のための処理を行わせる。なお、この時の画像処理部２８における画質調整のための処理は、当該映像ファイルが調整情報管理テーブルに登録されていた場合にはその調整所管理テーブルから参照された調整情報による処理となり、一方、当該映像ファイルが調整情報管理テーブルに登録されていない場合には予め設定されているデフォルト調整値による処理となる。
【００７３】
次に制御部２０は、ステップＳ１６の処理として、上記画像処理部２８にて処理された映像データを表示部２３へ送る。
【００７４】
そして、制御部２０は、ステップＳ１７の処理として、表示部２３上に映像を表示させる。
【００７５】
〔第２の実施形態〕
次に、図１２には、本発明の第２の実施形態の通信システムの概略構成を示す。
【００７６】
本発明の第２の実施形態の通信システムは、前述の第１の実施形態の通信システムと同様に、複数の携帯電話端末、携帯電話網３及びその基地局４からなる携帯電話システム、ＡＶデータサーバ１、調整情報管理サーバ２を少なくとも有して構成されている。なお、当該第２の実施形態の携帯電話システム、携帯電話端末５，６、ＡＶデータサーバ１、調整情報管理サーバ２は、それぞれが前述した第１の実施形態で説明したのと同様の機能に加えて、以下に説明する機能を備えている。前述の第１の実施形態と同様の機能についての説明は省略する。
【００７７】
第２の実施形態の携帯電話端末は、前述の第１の実施形態と同様の機能に加えて、画質や音質についてユーザが任意に設定した調整情報を、映像や音声データファイルに付加して送信する機能を備えている。
【００７８】
また、第２の実施形態の携帯電話網３及び基地局４からなる携帯電話システムは、前述の第１の実施形態と同様の機能に加えて、携帯電話端末から送られてきた調整情報を、映像，音声データファイル及び機種情報と共にＡＶデータサーバ１へ送信する機能を備えている。
【００７９】
また、第２の実施形態のＡＶデータサーバ１は、前述の第１の実施形態と同様の機能に加えて、上記携帯電話システムから機種情報と共に送られてきた調整情報を、調整情報管理サーバ２へ送信する機能を備えている。
【００８０】
さらに、第２の実施形態の調整情報管理サーバ２は、前述の第１の実施形態と同様に、機種情報に応じた最適な調整情報を調整情報データベースから検索する機能に加えて、当該調整情報データベースから検出した調整情報を、上記ＡＶデータサーバ１を介して携帯電話端末から送られてきた調整情報により必要に応じて補正する機能を備えている。
【００８１】
〔第２の実施形態のシステムの動作〕
以下、機種Ａの送信元携帯電話端末５で作成した例えば映像データファイルを、機種Ｂの受信先携帯電話端末６へ送信する際における図１２のシステムの動作を説明する。
【００８２】
図１２において、先ず、送信元携帯電話端末５からは、例えば内蔵カメラ等により撮影した映像データファイルが、受信先携帯電話端末６を特定した状態で送信される。ここで、当該送信される映像データファイルについてユーザにより画質設定のための調整がなされている場合、送信元携帯電話端末５は、上記映像データファイルに当該調整情報を付加して送信する。
【００８３】
上記送信元携帯電話端末５から送信された映像データファイルは、携帯電話網３及び基地局４からなる携帯電話システムを介してＡＶデータサーバ１へ送られる。この時、携帯電話システムは、送信元携帯電話端末５の機種Ａ及び受信先携帯電話端末６の機種Ｂの各機種情報と共に、送信元携帯電話端末５から送られてきた調整情報もＡＶデータサーバ１へ送信する。
【００８４】
ＡＶデータサーバ１は、受信先携帯電話端末６を特定した状態で送信元携帯電話端末５から送信されてきた映像データファイルと機種情報及び調整情報を受信すると、それらを一時的に格納し、機種情報（機種Ａ，Ｂ）と調整情報を調整情報管理サーバ２へ送る。なお、機種情報と調整情報については必ずしも格納されなくても良い。
【００８５】
調整情報管理サーバ２は、ＡＶデータサーバ１から受信した機種情報に基づいて、前述の第１の実施形態の場合と同様に、図２の調整情報データベースを検索する。また、調整情報管理サーバ２は、機種情報と共に調整情報が送られてきた場合には、その機種情報に基づいて調整情報データベースから検索された調整情報と、上記ＡＶデータサーバ１から送られてきた調整情報とを比較し、それらが異なっている時には、上記調整情報データベースから検索された調整情報を上記ＡＶデータサーバ１から送られてきた調整情報により補正する。そして、調整情報管理サーバ２は、その調整情報をＡＶデータサーバ１へ返送する。
【００８６】
上記調整情報管理サーバ２から調整情報を受け取った後のＡＶデータサーバ１や携帯電話システム、受信先携帯電話端末６の動作は、前述の第１の実施形態の場合と同様である。
【００８７】
すなわちこの第２の実施形態の場合は、機種Ａの送信元携帯電話端末５のユーザにより画質の設定がなされた調整情報に基づいて、調整情報管理サーバ２の調整情報データベースから読み出された調整情報が補正され、その補正後の調整情報が映像データファイルと共に機種Ｂの受信先携帯電話端末６に送られる。このため、当該受信先携帯電話端末６では、機種Ａの送信元携帯電話端末５のユーザにより設定された画質調整状態が、機種Ｂの携帯電話端末６のディスプレイ上に表示される映像に反映されることになる。
【００８８】
なお、以上の説明では、映像データファイルを送受信する例を挙げたが、音声データファイルを送受信する場合も同様である。
【００８９】
〔調整情報データベースの調整情報補正〕
以下、調整情報管理サーバ２において、調整情報データベースから検索された調整情報を、送信元携帯電話端末から送られてきた調整情報により補正する際の処理の流れを、図１３のフローチャートを用いて説明する。なお、以下の説明では、例えば画質の調整情報を例に挙げて述べることにする。
【００９０】
調整情報管理サーバ２は、ステップＳ２１にてＡＶデータサーバ１から機種情報と共に調整情報を受信した場合、ステップＳ２２にて、調整情報データベース内にその機種情報に対応した調整情報と、上記ＡＶデータサーバ１から受信した調整情報が同じであるか否かを検索する。そして、同じであると判定した場合にはステップＳ２４へ処理を進め、一方、同じでないと判定した場合にはステップＳ２３へ処理を進める。
【００９１】
ステップＳ２３の処理に進むと、調整情報管理サーバ２は、ＡＶデータサーバ１から受信した機種情報により調整情報データベースから検索した調整情報を、ＡＶデータサーバ１から受信した調整情報により補正し、ステップＳ２４へ処理を進める。
【００９２】
ステップＳ２４の処理に進むと、調整情報管理サーバ２は、調整情報をＡＶデータサーバ１へ送信する。
【００９３】
〔まとめ〕
以上説明したように、本発明の各実施形態によれば、送信元携帯電話端末にて生成された映像，音声データファイルを、当該送信元携帯電話端末とは異なるメーカの別機種の受信先携帯電話端末にて再生する際に、送信元携帯電話端末で映像．音声データを生成する際の機器やデバイス、信号処理の違いによって生じる画質，音質の差異を吸収することができ、受信先携帯電話端末において最適か若しくは送信元携帯電話端末のユーザの嗜好に合った再生を行うことが可能となる。
【００９４】
また、本発明の各実施形態によれば、携帯電話端末は、調整情報管理テーブルを持つことにより、ユーザが映像，音声データファイルを再生する度に、毎回、画質や音質の調整をする必要がなくなる。
【００９５】
なお、上述した各実施形態の説明は、本発明の一例である。このため、本発明は上述した各実施形態に限定されることなく、本発明に係る技術的思想を逸脱しない範囲であれば、設計等に応じて種々の変更が可能であることはもちろんである。
【００９６】
例えば、本発明の携帯通信端末は、携帯電話端末だけでなく、通信機能を備えたＰＤＡ装置（PDA：Personal Digital Assistants）等であっても良く、また、本発明の通信システムは携帯電話システムに限定されず、他の通信システムにも適用可能である。
【図面の簡単な説明】
【００９７】
【図１】本発明の第１の実施形態の通信システムの全体的の概略構成を示すブロック図である。
【図２】本発明実施形態の調整情報管理サーバが備えている調整情報データベースの説明に用いる図である。
【図３】本発明の各実施形態の携帯電話端末の概略的な内部構成を示すブロック図である。
【図４】本実施形態の携帯電話端末内に用意されている調整情報管理テーブルの一例である画質調整用の調整情報管理テーブルの説明に用いる図である。
【図５】調整情報管理テーブル内の画質調整情報ファイルの内容の一例を示す図である。
【図６】調整情報管理テーブルへの調整値の新規登録と更新時における本実施形態の携帯電話端末の処理の流れを示すフローチャートである。
【図７】映像データファイルを再生する際にディスプレイ上に表示されるファイルリストの一例を示す図である。
【図８】画質調整項目をユーザに選択させる際にディスプレイ上に表示されるユーザインターフェイスウィンドウ（画質調整項目選択ウィンドウ）の一例を示す図である。
【図９】調整項目の一例として、コントラスト調整を行う際にディスプレイ上に表示されるユーザインターフェイスウィンドウ（コントラスト設定ウィンドウ）を示す図である。
【図１０】更新された画質調整項目と各調整値を保存するか否かをユーザに決定させる際にディスプレイ上に表示されるユーザインターフェイスウィンドウの一例を示す図である。
【図１１】映像や音声データファイルを再生する場合に、調整情報管理テーブルを参照することで画質や音質を自動的に調整する際の本実施形態の携帯電話端末の処理の流れを示すフローチャートである。
【図１２】本発明の第２の実施形態の通信システムの全体的の概略構成を示すブロック図である。
【図１３】調整情報管理サーバにおいて、調整情報データベースから検索された調整情報を送信元携帯電話端末から送られてきた調整情報により補正する際の処理の流れを示すフローチャートである。
【符号の説明】
【００９８】
１  ＡＶデータサーバ、２  調整情報管理サーバ、３  携帯電話網、４  基地局、５  送信元携帯電話端末、６  受信先携帯電話端末、２０  制御部、２１  通信回路、２２  アンテナ、２３  表示部、２４  操作部、２５  メモリ、２６  スピーカ、２７  マイクロホン、２８  画像処理部、２９  音声処理部、３０  撮像制御部、３１  カメラ
【図１】
2006050462.tif 000003
【図２】
2006050462.tif 000004
【図３】
2006050462.tif 000005
【図４】
2006050462.tif 000006
【図５】
2006050462.tif 000007
【図６】
2006050462.tif 000008
【図７】
2006050462.tif 000009
【図８】
2006050462.tif 000010
【図９】
2006050462.tif 000011
【図１０】
2006050462.tif 000012
【図１１】
2006050462.tif 000013
【図１２】
2006050462.tif 000014
【図１３】
2006050462.tif 000015